(57)【特許請求の範囲】
【請求項１】
合成繊維から織製された織布に対してストライプ状に導電性糸状体を打ち込んでなるコンテナ基布によって形成されたフレキシブルコンテナにおいて、
前記導電性糸状体を相互に導通状態とするための導通手段を備え、
前記導電性糸状体の各々は、フレキシブルコンテナの胴部の長手方向に形成され、
前記導通手段は、前記胴部の上下端部のうち少なくとも一方端部に取付けられた周方向に連続する導電性帯状体を含むことを特徴とする、フレキシブルコンテナ。
【請求項２】
合成繊維から織製された織布に対してストライプ状に導電性糸状体を打ち込んでなるコンテナ基布によって形成されたフレキシブルコンテナにおいて、
前記導電性糸状体を相互に導通状態とするための導通手段を備え、
前記導電性糸状体の各々は、フレキシブルコンテナの胴部の周方向に形成され、
前記導通手段は、前記胴部の長手方向に連続するように取付けられた導電性帯状体を含むことを特徴とする、フレキシブルコンテナ。
【請求項３】
前記導電性帯状体に取付けられたアース取付具を更に備えた、請求項１又は請求項２に記載のフレキシブルコンテナ。
【請求項４】
合成繊維から織製された織布に対してストライプ状に導電性糸状体を打ち込んでなるコンテナ基布によって形成されたフレキシブルコンテナにおいて、
前記導電性糸状体を相互に導通状態とするための導通手段を備え、
前記導通手段は、前記導電性糸状体の打ち込み方向に直交する方向に打ち込まれた一本の第２の導電性糸状体よりなることを特徴とする、フレキシブルコンテナ。
【請求項５】
フレキシブルコンテナの本体に取付けられ、少なくとも一部に導電性を有する当て布と前記当て布に取付けられた導電性を有する吊り金具とを更に備え、
前記当て布は、前記導電性糸状体の少なくとも一本と前記吊り金具等を導通状態とする、請求項１から請求項４のいずれかに記載のフレキシブルコンテナ。
【請求項６】
前記当て布は、前記コンテナ基布と同一構成の布により形成される、請求項５記載のフレキシブルコンテナ。
【請求項７】
前記当て布は、一方面の全面が導電性を有する布により形成される、請求項５記載のフレキシブルコンテナ。
【発明の詳細な説明】
【０００１】
【発明の属する技術分野】
この発明はフレキシブルコンテナに関し、特に紛粒体の輸送などに用いる合成繊維で作られた織布からなるフレキシブルコンテナに関するものである。
【０００２】
【従来の技術】
図１６は従来のフレキシブルコンテナの概略構造を示した斜視図である。
【０００３】
図を参照して、フレキシブルコンテナ６１は後述するコンテナ基布によって形成された胴部６２と上面６３と下面６４とからなる円筒形状を有している。上面６３には投入口３１が形成され、下面６４には排出口３２が形成されている。又、胴部６２には当て布６６を介して吊りベルト６７が取付けられ、この吊りベルト６７に、吊り金具６８を介して吊りロープ６９が取付けられている。尚、胴部６２の下方にはフレキシブルコンテナ６１の使用時において発生する静電気を除去するためのアース線を接続するためのアース取付具７１が取付けられている。
【０００４】
このようなフレキシブルコンテナは、従来合成繊維で作られた織布からなるコンテナ基布が用いられている。そこでこのようなコンテナ基布に導電性を持たせるためには、金属線やポリプロピレンなどの合成繊維中に金属や炭素粒子等の導電性材料を分散させたり、又は合成繊維の表面を導電性材料により被覆した導電性糸状体を、合成繊維で作られた織布の縦糸及び横糸に打ち込むことにより、アース取付具７１の箇所までフレキシブルコンテナに発生した静電気を導くように構成されている。
【０００５】
図１７はこのコンテナ基布の構成を概略的に示した図であって、図１６の“Ｚ”部分の拡大図である。
【０００６】
図を参照して、コンテナ基布７３は合成繊維よりなる経糸４０と緯糸４１とから織製されてなる織布４２によって構成されており、その内面には防湿性等を高めるために合成樹脂のコーティングがなされている。又、上下方向に伸びる経糸４０に対しては一定間隔で縦導電性糸状体７５が打ち込まれている。一方、横方向に伸びる緯糸４１に対しては同様に一定間隔で横導電性糸状体７６が打ち込まれている。このようにして縦導電性糸状体７５と横導電性糸状体７６とは、織布４２に対して格子状に配置されることになる。
【０００７】
そして、縦導電性糸状体７５及び横導電性糸状体７６は、その交互点で相互に導通状態となっているため、フレキシブルコンテナ６１の一部に静電気が発生したとしても、縦導電性糸状体７５及び横導電性糸状体７６を介してアース取付具７１まで導かれ、その帯電状態が除去されることになる。
【０００８】
【発明が解決しようとする課題】
上記のような従来のコンテナ基布７３のように導電性糸状体を、合成樹脂で作られた織布に格子状に打ち込むことは多大な労力を要する。しかし、この打ち込み本数を減らすことは、導電性の低下の虞れがあるため避けなければならず、結果的にその基布の生産性を向上させることは困難であった。
【０００９】
又、単に縦糸方向あるいは横糸方向にだけ導電性糸状体を打ち込む場合には、その導電性糸状体からアースまでフレキシブルコンテナに発生した静電気を導くために、導電性糸状体一本ずつにアースを設けるか、又はコンテナの上面又は底面で１ヵ所にこれらを束ねるなどしなければならず、結局これらの方法では基布の生産性の向上は困難であった。
【００１０】
この発明は上記のような課題を解決するためになされたもので、導電性糸状体を織布に打ち込む本数を減らすとともに、静電気の帯電状態を効率的に緩和するフレキシブルコンテナを提供することを目的とする。
【００１１】
【課題を解決するための手段】
上記の目的を達成するために、請求項１記載の発明は、合成繊維から織製された織布に対してストライプ状に導電性糸状体を打ち込んでなるコンテナ基布によって形成されたフレキシブルコンテナにおいて、導電性糸状体を相互に導通状態とするための導通手段を備え、導電性糸状体の各々はフレキシブルコンテナの胴部の長手方向に形成され、導通手段は、胴部の上下端部のうち少なくとも一方端部に取付けられた周方向に連続する導電性帯状体を含むことを特徴とするものである。
【００１２】
このように構成すると、導電性糸状体の一部に帯電した静電気は他の導電性糸状体にその電荷が分散される。又、胴部の一部に帯電した静電気は導電性帯状体を介して他の導電性糸状体にその電荷が分散される。
【００１５】
請求項２記載の発明は、合成繊維から織製された織布に対してストライプ状に導電性糸状体を打ち込んでなるコンテナ基布によって形成されたフレキシブルコンテナにおいて、導電性糸状体を相互に導通状態とするための導通手段を備え、導電性糸状体の各々はフレキシブルコンテナの胴部の周方向に形成され、導通手段は、胴部の長手方向に連続するように取付けられた導電性帯状体を含むことを特徴とするものである。
【００１６】
このように構成すると、導電性糸状体の一部に帯電した静電気は他の導電性糸状体にその電荷が分散される。又、胴部の一部に帯電した静電気は導電性帯状体を介して他の導電性糸状体にその電荷が分散される。
【００１７】
請求項３記載の発明は、請求項１又は請求項２に記載の発明の構成において、導電性帯状体に取付けられたアース取付具を更に備えたものである。
【００１８】
このように構成すると、発生した静電気は導電性帯状体を介してアース取付具から除去されるものである。
【００１９】
請求項４記載の発明は、合成繊維から織製された織布に対してストライプ状に導電性糸状体を打ち込んでなるコンテナ基布によって形成されたフレキシブルコンテナにおいて、導電性糸状体を相互に導通状態とするための導通手段を備え、導通手段は導電性糸状体の打ち込み方向に直交する方向に打ち込まれた一本の第２の導電性糸状体よりなることを特徴とするものである。
【００２０】
このように構成すると、導電性糸状体の一部に帯電した静電気は他の導電性糸状体にその電荷が分散される。又、胴部の一部に発生した静電気は第２の導電性糸状体を介して他の導電性糸状体へその電荷が分散される。
【００２１】
請求項５記載の発明は、請求項１から請求項４のいずれかに記載の発明の構成において、フレキシブルコンテナの本体に取付けられ、少なくとも一部に導電性を有する当て布と、当て布に取付けられ、導電性を有する吊り金具等を更に備え、当て布は導電性糸状体の少なくとも一本と吊り金具等を導通状態とするものである。
【００２２】
このように構成すると、発生した静電気の一部は吊り金具にも分散される。
【００２３】
請求項６記載の発明は、請求項５記載の発明の構成において、当て布はコンテナ基布と同一構成の布により形成されるものである。
【００２４】
請求項７記載の発明は、請求項５記載の発明の構成において、当て布は一方面の全面が導電性を有する布により形成されるものである。
【００２５】
【発明の効果】
以上説明したように、請求項１記載の発明は、導電性糸状体の一部に帯電した静電気は他の導電性糸状体に分散されるので、導電性糸状体の打ち込みの労力を少なくしているものにも関わらず静電気の蓄積が効率的に防止される。又、胴部の一部に発生した静電気は導電性糸状体全体へその電荷が分散されるので、導電性糸状体を多く設けることなく効率的な帯電防止効果が発揮される。
【００２７】
請求項２記載の発明は、導電性糸状体の一部に帯電した静電気は他の導電性糸状体に分散されるので、導電性糸状体の打ち込みの労力を少なくしているものにも関わらず静電気の蓄積が効率的に防止される。又、胴部の一部に発生した静電気は導電性糸状体全体にその電荷が分散されるので、導電性糸状体を多く設けることなく効率的な帯電防止効果が発揮される。
【００２８】
【発明の効果】
請求項３記載の発明は、請求項１又は請求項２に記載の発明の効果に加えて、発生した静電気はアース取付具から除去されるので、帯電防止の信頼性がより向上する。
【００２９】
請求項４記載の発明は、導電性糸状体の一部に帯電した静電気は他の導電性糸状体に分散されるので、導電性糸状体の打ち込みの労力を少なくしているものにも関わらず静電気の蓄積が効率的に防止される。又、第２の導電性糸状体を一本打ち込むだけで効果的に帯電防止効果が発揮される。
【００３０】
請求項５記載の発明は、請求項１から請求項４のいずれかに記載の発明の効果に加えて、発生した静電気が吊り金具に対しても分散されるので、帯電防止の信頼性が向上する。
【００３１】
請求項６記載の発明は、請求項５記載の発明の効果に加えて、当て布をコンテナ基布を用いて形成できるためコスト的に効率の良い構造となる。
【００３２】
請求項７記載の発明は、請求項５記載の発明の効果に加えて、発生した静電気が安定して吊り金具にも分散されるため信頼性が向上する。
【００３３】
【発明の実施の形態】
図１はこの発明の第１の実施の形態によるフレキシブルコンテナの概略構造を示した斜視図である。
【００３４】
図を参照して、フレキシブルコンテナ２０は後述するコンテナ基布によって形成され、胴部２１と、胴部２１の上方に接続する上面２２と、胴部２１の下方に接続する下面２３とによる円筒型形状を有している。上面２２には内部に紛粒体等を投入するために用いられる投入口３１が形成され、下面２３には内部に収納された紛粒体等を外部に排出するための排出口３２が形成されている。
【００３５】
又、胴部２１にはフレキシブルコンテナ２０を移送する際に用いられる一対の吊りロープ２９が取付けられている。具体的には胴部２１の外面に当て布２６が固定され、これに吊りベルト２７が取付けられている。そしてこの吊りベルト２７に吊り金具２８を介して吊りロープ２９の両端部が各々接続されている。
【００３６】
又、胴部２１の下方端部と下面２３との接続部には円周方向に連続する導電性帯状体３５が取付けられており、この導電性帯状体３５にアース線を接続するためのアース取付具３６が取付けられている。
【００３７】
図２は図１の“Ｘ”部分の拡大図であって、フレキシブルコンテナ２０を構成するコンテナ基布の構造を示した拡大図である。
【００３８】
コンテナ基布３８は横方向に伸びる経糸４０と縦方向に伸びる緯糸４１とを織製して形成される織布４２を元にして形成されている。尚、経糸４０及び緯糸４１は、ポリプロピレン、ポリエチレン、ポリエステル、ナイロン等を単独に又はこれらを混合して用いた合成繊維により各々形成されている。
【００３９】
上下方向に伸びる緯糸４１に対して、所定間隔でストライプ状に導電性糸状体４４が打ち込まれている。この導電性糸状体４４は金属繊維、ポリプロピレン、ポリエチレン、ポリエステル、ナイロン等の合成繊維に、鉄、胴、ステンレス等の金属や、炭素粒子などの導電性材料を分散又はその合成繊維表面をこれらの導電性材料により被覆して形成されるものである。
【００４０】
このようにコンテナ基布３８は形成されているため、上下方向に対しては導電性糸状体４４を介して帯電した静電気を分散させることが可能となっている。
【００４１】
図３は図１のＩＩＩ−ＩＩＩラインの断面図であり、図４は図３のＩＶ−ＩＶラインから見た図である。
【００４２】
これらの図を参照して、胴部２１を構成するコンテナ基布３８の表面にコンテナ基布３８と同一構成の布を水平方向に折り曲げた当て布２６が取付けられ、更に当て布２６の外面に吊り金具２８が係合されている吊りベルト２７が取付けられ、これらは二点鎖線で示す位置で一体となるようにミシン縫製（以下同様）されている。
【００４３】
尚、当て布２６における導電性糸状体４４の方向は、図に示すように外面でかつ水平方向となるように折り畳まれている。ここで、吊りベルト２７は導電性を有する合成樹脂よりなる織布や、少なくとも片面に導電性を有する合成樹脂やゴム等を被覆した織布、導電性の糸状体を打ち込んだ織布等によって形成されている。そして、図に示すように、コンテナ基布３８を構成する経糸４０の外面に打ち込まれた導電性糸状体４４は、上下方向に配列されている。
【００４４】
一方、当て布２６の導電性糸状体４４は上述のように水平方向に配置されるとともに、その上方の二本については吊りベルト２７に接触した状態となっている。したがって、コンテナ基布３８の導電性糸状体４４は吊りベルト２７に対して、当て布２６の導電性糸状体４４を介して導通状態となる。したがって、フレキシブルコンテナ２０の胴部２１に生じた静電気の一部は、当て布２６を介して吊りベルト２７及び吊り金具２８に分散されることになる。
【００４５】
尚、この実施の形態においては当て布２６はコスト的な面を配慮してコンテナ基布３８と同一構成の材料を用いたが、これに代えて当て布２６をその外面の全面が導電性を有する材料を用いて構成しても良いことは言うまでもない。
【００４６】
図５はこの発明の第１の実施の形態によるフレキシブルコンテナの当て布部分の他の使用例を示す図であって、図３に対応する図であり、図６は図５のＶＩ−ＶＩラインから見た図である。
【００４７】
これらの図を参照して、この例においては、吊りベルト２７が胴部２１のコンテナ基布３８と当て布２６との間に挟着された状態で取付けられている。又、当て布２６はコンテナ基布３８と同一材料を用いているが、その導電性糸状体４４は胴部２１に面する方向になるように配置されている。これによって、吊りベルト２７は、直接胴部２１の導電性糸状体４４に接するとともに、当て布２６の導電性糸状体４４を介して胴部２１の他の導電性糸状体４４とも導通状態となる。これによって吊りベルト２７はより多くの胴部２１の導電性糸状体４４と導通状態となるため、静電除去効果がより向上する。
【００４８】
尚、この例においても当て布２６はその全面が導電性を有する材料によって構成するようにしても良いことは言うまでもない。
【００４９】
図７は図１のＶＩＩ−ＶＩＩラインの断面図である。
【００５０】
図を参照して、胴部２１の下方端部は外方に折り曲げられ、その端部と整列するように下面２３のコンテナ基布３８の外方部が重ね合わされている。この状態でこの胴部２１及び下面２３の重ね合わせ部を挟み込むように断面コの字形状の導電性帯状体３５が取付けられている。
【００５１】
導電性帯状体３５は、上述した導電性糸状体又は導電性糸状体と同様のものを束ねてあるいはこれを延伸することにより帯状にしたものや、合成繊維や金属からなる織布の片面又は両面を導電性材料を分散させた合成樹脂やゴムにより被覆した引布等より構成されている。そして、導電性帯状体３５の上面の一部に、アース線を接続するための導電性金属等からなるアース取付具３６が取付けられている。
【００５２】
このように構成されているため、胴部２１のコンテナ基布３８に配置されている導電性糸状体４４は導電性帯状体３５の内面に接触し、下面２３のコンテナ基布３８に配置されている導電性糸状体４４も同様に導電性帯状体３５の内面に接触する。そして導電性帯状体３５は周方向に連続して形成されているため、胴部２１において上下方向に配置されている導電性糸状体４４は、互いに導電性帯状体３５を介して電気的に導通状態となる。
【００５３】
したがって胴部２１の一部に発生した静電気は確実に導電性帯状体３５に流れ、アース取付具３６を介して外部に除去されることになる。尚、この実施の形態においては、導電性帯状体３５をフレキシブルコンテナ２０の胴部２１と下面２３との接続部に設けているが、同様に胴部２１と上面２２との間の接続部にも設けても良い。
【００５４】
図８はこの発明の第１の実施の形態によるフレキシブルコンテナのアース取付具部分の他の例を示した図であって、図７に対応するものである。
【００５５】
図を参照して、この例においては、図７で示した導電性帯状体３５の取付状態から胴部２１及び下面２３の端部を更に一回巻込み、この状態で導電性帯状体３５と接続する形状のアース取付具３６を取付けたものである。このように構成すると、導電性帯状体３５が外部に全く露出せず、更に胴部２１において配置される導電性糸状体４４との接触面積が拡大するものである。これによって胴部２１に帯電した静電気を導電性糸状体４４を介してより効果的に除去しようとするものである。
【００５６】
図９はこの発明の第１の実施の形態によるフレキシブルコンテナのアース取付具部分の更に他の例を示すものであって、図７に対応する図である。
【００５７】
図を参照して、この例においては、導電性帯状体３５の上部の形状を、胴部２１のコンテナ基布３８の端部を折り返して折り返し部４６と折り返し元部４７とにしたものの間にその端部が挟み込まれるような形状としたものである。同様に導電性帯状体３５の下部の形状も、下面２３のコンテナ基布３８を折り曲げてなる折り返し部４８と折り返し元部４９との間に挟み込まれる形状としたものである。
【００５８】
このように構成すると、胴部２１に配置される導電性糸状体４４及び下面２３に配置される導電性糸状体４４の各々の導電性帯状体３５との接触範囲をより大きく確保することが可能となる。これによって帯電した静電気をより効果的に除去しようとするものである。
【００５９】
図１０はこの発明の第１の実施の形態によるフレキシブルコンテナのアース取付具部分の更に他の例を示すものであって、図７に対応する図である。
【００６０】
図を参照して、この例においては、胴部２１を構成するコンテナ基布３８の端部は下面２３側に折り返され、同様に下面２３を構成するコンテナ基布３８の端部は胴部２１側に折り返されている。そして平板形状の導電性帯状体３５がそれらの間に挟着された状態で固定されている。このように構成すると導電性帯状体３５は、単純な形状としながら胴部２１の導電性糸状体４４及び下面２３の導電性糸状体４４の各々に接触でき、電気的に導通状態を確保できる。
【００６１】
図１１はこの発明の第２の実施の形態によるフレキシブルコンテナの斜視図であり、図１２は図１１の“Ｙ”部分の拡大図である。
【００６２】
これらの図を参照して、この実施の形態によるフレキシブルコンテナの概略構成は基本的には先の第１の実施の形態によるものと同一であるが、まずコンテナ基布３８の構成が異なっている。すなわち、コンテナ基布３８は経糸４０及び緯糸４１を織製することによって織布４２が形成されている点は同一であるが、導電性糸状体４４が上下方向ではなく、水平方向の緯糸４１に対して所定間隔で設けられている点である。このコンテナ基布３８の構成の相違からフレキシブルコンテナ２０における静電気の除去のための対策が種々異なっている。
【００６３】
図１３は図１１のＸＩＩＩ−ＸＩＩＩラインから見た図であり、図１４は図１３のＸＩＶ−ＸＩＶラインから見た図である。
【００６４】
これらの図を参照して、胴部２１のコンテナ基布３８と吊りベルト２７との間に取付けられる当て布２６は、コンテナ基布３８と同一構成の布を導電性糸状体４４が外面側で上下方向に伸びるように重ね合わされたものが使用されている。そのため、胴部２１の導電性糸状体４４に対して当て布２６の裏側に折り返された部分の導電性糸状体４４が接触し、その導電性糸状体４４が当て布２６の表面まで連続して吊りベルト２７に接触している。
【００６５】
このように構成することによって、胴部２１の一部に帯電した静電気は当て布２６を介して吊りベルト２７から分散されることになる。尚、吊りベルト２７は導電性を有する合成樹脂からなる織布や、少なくとも片面に導電性を有する合成樹脂やゴム等を被覆した織布、導電性の糸状体を打ち込んだ織布等によって形成されている。
【００６６】
尚、この実施の形態による当て布２６は、ストライプ状に導電性糸状体４４を打ち込んで導電性を発揮させるものを使用しているが、これに代えて、当て布２６をその外面の全面が導電性を有するものを使用しても良い。
【００６７】
図１５は図１１のＸＶ−ＸＶラインの断面図である。
【００６８】
図を参照して、胴部２１を構成するコンテナ基布３８は筒状に巻かれ、その端部が重ね合わされている。そしてこの端部を被覆するような断面コの字状の導電性帯状体３５が、胴部２１の長手方向の全域に形成されている。そして導電性帯状体３５の下方端にはアース線が接続されるアース取付具３６が固定されている。
【００６９】
このように構成することによって、織布４２において水平方向に所定間隔で打ち込まれている導電性糸状体４４の端部が導電性帯状体３５の内面に接触することになる。導電性帯状体３５は上述のように胴部２１の長手方向全域に連続して形成されているため、胴部２１のいずれの部分において発生された静電気は水平方向の導電性糸状体４４を介して導電性帯状体３５に伝達され、アース取付具３６から取除かれることになる。
【００７０】
このように図１２に示したコンテナ基布３８の構造であっても、導通手段として導電性帯状体３５を取付けることによって、導電性糸状体４４の打ち込み本数を減らしつつ確実に帯電した静電気を分散させることが可能となる。
【００７１】
尚、上記の各実施の形態では、当て布２６は胴部２１に取付けられているが、胴部以外の上面等に取付けても良い。
【００７２】
又、上記の第１の実施の形態では、導通手段として導電性帯状体３５を用いているが、これに代えてコンテナ基布３８の構成において一本の導電性糸状体を左右方向に別途打ち込むようにして上下方向に配置された導電性糸状体４４相互の電気的な結合を図ってこれを導通手段としても良い。
【００７３】
更に、上記の第１の実施の形態では、導電性帯状体３５を胴部２１と下面２３との境界位置に取付けているが、これに代えて胴部２１と上面２２との境界位置に取付けても良く、又、これらのいずれにも取付けるようにしても良い。
【００７４】
更に、上記の第２の実施の形態においては、導通手段として導電性帯状体３５を用いているが、これに代えてコンテナ基布３８の構成において一本の導電性糸状体を上下方向に別途打ち込むようにして、水平方向に配置された導電性糸状体４４相互の電気的な結合を図ってこれを導通手段としても良い。
【００７５】
更に、上記の第２の実施の形態では、導電性帯状体５１は周方向に１箇所取付けられているが、周方向の２箇所以上に同様の導電性帯状体５１を設けるようにしても良い。
【図面の簡単な説明】
【図１】この発明の第１の実施の形態によるフレキシブルコンテナの概略構造を示した斜視図である。
【図２】図１の“Ｘ”部分の拡大図である。
【図３】図１のＩＩＩ−ＩＩＩラインの断面図である。
【図４】図３のＩＶ−ＩＶラインから見た図である。
【図５】図１に示したフレキシブルコンテナの当て布部分の他の例であって、図３に対応した図である。
【図６】図５のＶＩ−ＶＩラインから見た図である。
【図７】図１のＶＩＩ−ＶＩＩラインの断面図である。
【図８】図１に示したフレキシブルコンテナのアース取付具部分の他の例を示すものであって図７に対応する図である。
【図９】図１のフレキシブルコンテナのアース取付具部分の更に他の例を示すものであって、図７に対応する図である。
【図１０】図１のフレキシブルコンテナのアース取付具部分の更に他の例を示すものであって図７に対応する図である。
【図１１】この発明の第２の実施の形態によるフレキシブルコンテナの概略構造を示した斜視図である。
【図１２】図１１の“Ｙ”部分の拡大図である。
【図１３】図１１のＸＩＩＩ−ＸＩＩＩラインの断面図である。
【図１４】図１３のＸＩＶ−ＸＩＶラインから見た図である。
【図１５】図１１のＸＶ−ＸＶラインの断面図である。
【図１６】従来のフレキシブルコンテナの概略形状を示した斜視図である。
【図１７】図１６の“Ｚ”部分の拡大図である。
【符号の説明】
２０…フレキシブルコンテナ
２１…胴部
２６…当て布
２７…吊りベルト
２８…吊り金具
３５，５１…導電性帯状体
３６，５２…アース取付具
３８…コンテナ基布
４２…織布
４４…導電性糸状体
尚、各図中同一符号は同一又は相当部分を示す。
【図１】
0004689820.tif 000002
【図２】
0004689820.tif 000003
【図３】
0004689820.tif 000004
【図４】
0004689820.tif 000005
【図５】
0004689820.tif 000006
【図６】
0004689820.tif 000007
【図７】
0004689820.tif 000008
【図８】
0004689820.tif 000009
【図９】
0004689820.tif 000010
【図１０】
0004689820.tif 000011
【図１１】
0004689820.tif 000012
【図１２】
0004689820.tif 000013
【図１３】
0004689820.tif 000014
【図１４】
0004689820.tif 000015
【図１５】
0004689820.tif 000016
【図１６】
0004689820.tif 000017
【図１７】
0004689820.tif 000018